(57)【要約】【解決手段】  本発明は、ショッピングカート２２のためのチャイルドシート１であって、このチャイルドシートが、合成物質から成り、水平方向の軸線９を中心として旋回可能にこのショッピングカート２２に配設されている背当て部７を有し、この背当て部に、少なくとも１つの座部６が、摺動移動可能、または旋回可能に接続されている様式の、上記チャイルドシートに関する。本発明は、背当て部７が、少なくとも２つの、固定式に互いに結合されている構造部材１７、１８から成り、これら構造部材の構造様式が、少なくとも１つの背当て部７の部分区間１９が中空体状に形成されているように選択されていることによって特徴付けられる。
2005511388.tif 000002
【特許請求の範囲】
【請求項１】
ショッピングカート（２２）のためのチャイルドシート（１）であって、このチャイルドシートが、
合成物質から成り、水平方向の軸線（９）を中心として旋回可能にこのショッピングカート（２２）に配設されている背当て部（７）を有し、
この背当て部に、少なくとも１つの座部（６）が、摺動移動可能、または旋回可能に接続されている様式の、上記チャイルドシートにおいて、
背当て部（７）が、少なくとも２つの、固定式に互いに結合されている構造部材（１７、１８）から成り、これら構造部材の構造様式が、少なくとも１つの背当て部（７）の部分区間（１９）が中空体状に形成されているように選択されていることを特徴とするチャイルドシート。
【請求項２】
背当て部（７）は、１つの第１の構造部材（１７）、および、２つの第２の構造部材（１８）から形成されていることを特徴とする請求項１に記載のチャイルドシート。
【請求項３】
構造部材（１７、１８）は、半割りシェルとして形成されていることを特徴とする請求項１または２に記載のチャイルドシート。
【請求項４】
少なくとも１つの部分区間（１９）内において、内側に存在する補強リブ（２１）が設けられていることを特徴とする請求項１から３のいずれか一つに記載のチャイルドシート。
【請求項５】
第１の構造部材（１７）が、全部の背当て部（７）と同じ輪郭、例えばＨ字形を有していることを特徴とする請求項１から４のいずれか一つに記載のチャイルドシート。
【請求項６】
例えば、軸受アイ部（１１）、案内部（１５）、および開口部（１６）のような機能要素が、第１の構造部材（１７）に設けられていることを特徴とする請求項１から５のいずれか一つに記載のチャイルドシート。
【発明の詳細な説明】
【技術分野】
【０００１】
本発明は、ショッピングカートのためのチャイルドシートであって、このチャイルドシートが、
合成物質から成り、水平方向の軸線を中心として旋回可能にこのショッピングカートに配設されている背当て部を有し、
この背当て部に、少なくとも１つの座部が、摺動移動可能、または旋回可能に接続されている、上記チャイルドシートに関する。
【背景技術】
【０００２】
この様式のチャイルドシートは、少なくとも部分的に、合成物質から成っているショッピングカートにおいて使用される。このカートのチャイルドシートの背当て部は、針金構造としてか、それとも、針金、および合成物質から成る成形体、または全体的に合成物質から成る成形体として形成されている。後者の成形体は、安定性の理由から、実際に生じる負荷状態に耐えるために、補強リブを備え付けられねばならない。補強リブは、この補強リブが、見た目に良くなく作用すること、および、この補強リブに汚染物が堆積することの欠点を有している。
【発明の開示】
【発明が解決しようとする課題】
【０００３】
従って、本発明の課題は、今ここで問題になっている当面の様式のチャイルドシートの背当て部を、十分な安定性の維持のもとで、背当て部が可能な限り平滑に形成されること、および、この背当て部が少なくとも部分的に目視可能な補強リブ無しで間に合うように、更に発展させることである。
【課題を解決するための手段】
【０００４】
この課題の解決策は、背当て部が、少なくとも２つの、固定式に互いに結合されている構造部材から成り、これら構造部材の構造様式が、少なくとも１つの背当て部の部分区間が中空体状に形成されているように選択されていることにある。
【発明の効果】
【０００５】
本発明の重要な利点は、補強リブが、固定式に互いに結合されている構造部材に、これら構造部材が、相対して位置している状態で、少なくとも１つの部分区間内において配設されているように設けられていることにある。これら補強リブは、従って、この中空体状の部分区間内において、外方から目視不能に格納されており、従って、外側に位置し、且つ、同様に目視可能な背当て部の面を、完全に平滑に形成することが可能である。従って、如何なる汚染物も堆積せず、且つ、内側に存在する補強リブが、それにも拘らず、必要な背当て部の安定性を保証することに寄与する。更に別の利点は、少なくとも１つの中空体状の部分区間が、開口部、スリット、等を備えており、これら開口部、スリットに対して、必要な場合には、内側に配置された状態で、機能部材、または機能要素が配設可能であり、これら機能部材、または機能要素が、これらスリット、または開口部と共に、チャイルドシートを機能し、且つ移動するために必要または合目的である、例えば、案内部、保持装置、等を形成することにある。
【０００６】
次に、本発明を、実施例に基づいて詳しく説明する。
【発明を実施するための最良の形態】
【０００７】
図１において図示された、ショッピングカート２２に設けられたチャイルドシート１は、使用位置において図示されている。このチャイルドシート１は、座部６、および背当て部７を有しており、その際、この座部６が、摺動移動可能に、または旋回可能に、この背当て部７と結合されている。このショッピングカート２２のかご２４の背面は、壁部２によって形成されており、この壁部が、上方に位置する水平方向の軸線５を中心として、かご内部内へと旋回可能である。この背当て部７は、この背当て部の下側の境界部８、または、下方へと案内する支持部１０でもって、この壁部２の下側の領域４において存在する、同様に水平方向の軸線９を中心として、この壁部において制限された状態で、旋回可能に軸受されている。この座部６は、その場合に、旋回可能か、それとも摺動移動可能に、同様にこの壁部２にも支持されている。この様式の配設、および構造は、公知である。この背当て部は、矢印方向に、壁部２に近づくように旋回可能であり、これに対して、この壁部２は、この座部６および背当て部７と共に、多数のショッピングカート２２の互いの中への押し入れの目的のために、この水平方向の軸線５を中心として、かご内部内へと旋回可能である。
【０００８】
正面図において、図２は、１つのチャイルドシート１の背当て部７を示している。大文字「Ｈ」を想起させる、合成物質から製造された背当て部７は、２つの、下方へと案内する支持部１０を有しており、水平方向の軸線９上で軸受けされるために、これら支持部が軸受アイ部１１を備え付けられている。これら支持部１０に、上方へと、支持領域１２が連なっており、この支持領域に、このチャイルドシート１内に座っている子供が、寄り掛かり可能である。この背当て部７は、上方へと、２つの突出部１４でもって終わっており、この突出部が、開いて出された状態の、使用位置内において存在する背当て部７を、ショッピングカート２２の互いの中への押し入れの際に、不使用位置内へと、ひとりでに動くことのために使用される。この支持領域１２は、中央で、格子構造１３を有していても良い。この格子構造１３の両方の側面において、下方から上方へと整向された、スリットによって形成された案内部１５が、座部６に設けられている、突出部の摺動移動可能な収容のために設けられている。これら案内部１５の下側に、開口部１６が設けられており、これら開口部は、例えば、子供を安全ベルトで固定するための安全ベルトの収容のための役割を果たす。
【０００９】
図３から、背当て部７が３つの構造部材１７、１８から成り、これら構造部材が、全て合成物質から製造されていることが見て取れる。第１の構造部材１７は、そのことが図２において明らかなように、全部の背当て部７と同一に形成されている。両方の他の、または第２の構造部材１８は、縦長に形成されており、且つ、第１の構造部材１７との協働で、この図において矢印によって示されているように、両方の構造部材１８が第１の構造部材１７と、これら構造部材の共通の縁部２６を介して組み合わせられる場合、この構造部材の脚部２５を形成する。この組み合わせは、種々の公知の様式で行われる。摩擦溶接、粘着、差込み、またはねじ止め、が、若干のこれら可能性である。
【００１０】
側面図において、図４は、背当て部７を側方眺望で示している。第１のＨ字形の構造部材１７、および、両方の、他の構造部材１８の内の１つの構造部材は、固定式に接合されている。これら構造部材１７、１８の構造様式は、例えば半割りシェルとして、少なくとも１つの背当て部７の部分区間１９が、中空体状に形成されているように選択されており、その際、この部分区間１９が、この部分区間１９の内部に存在し相対して位置しているように配設されている補強リブ２１を有している。これら構造部材１７、１８の外側面２０は、目的に役立ち、且つ有用であるところで、平滑に形成されている。何故ならば、補強リブ２１が、内側に設けられているからである。軸受アイ部１１、案内部１５、開口部１６、等のような機能要素を、第１の構造部材１７に設けること、および、少なくとも１つの、第２の構造部材１８に、ただ１つだけの安定化させる機能を帰属させることは有利である。
【００１１】
当業者は、２つ、または多数の構造部材１７、１８の形態の選択、および使用において、全く自由である。背当て部７は、固定式に組み合わされている、例えば、ただ１つの第１の構造部材１７、および１つの第２の構造部材１８だけから成っていても良い。同様に、例えば、この第１の構造部材１７に、３つの第２の構造部材１８が所属して設けられることは可能である。同様に１つの第１の構造部材、および１つの第２の構造部材１７、１８は、全体の大きな部分区間１９が中空体状に構成されており、この部分区間が、しかもそのうえ全体的な背当て部７の基礎面を備え得るように形成されることも可能である。要するに、変形の可能性には、如何なる制限もされていない。そのために必要な、この背当て部７の位置において、中空空間、または小部屋が形成されており、この中空空間、または小部屋内において、外方から目視可能でない補強リブ２１、または他の機能的な要素が設けられ、これら補強リブ、または他の機能的な要素が、他方また、十分な安定性、及び／または背当て部７の機能に寄与していることは重要である。
【図面の簡単な説明】
【００１２】
【図１】ショッピングカートに設けられているチャイルドシートの図である。
【図２】正面図における、チャイルドシートの背当て部の図である。
【図３】３つの構造部材から形成され得る背当て部の図である。
【図４】側面図における、背当て部の図である。
【図１】
2005511388.tif 000003
【図２】
2005511388.tif 000004
【図３】
2005511388.tif 000005
【図４】
2005511388.tif 000006
【国際調査報告】
2005511388.tif 000007
2005511388.tif 000008
2005511388.tif 000009
2005511388.tif 000010